(57)【特許請求の範囲】
【請求項１】
一面開口した略箱状であって開口を室内側に臨ませて造営面に埋設固定されるスイッチボックスに前面を室内側に臨ませた状態で埋込配設される器体を有し、換気扇負荷及び交流電源の直列回路が接続される第１及び第２の接続端子を器体に設け、第１及び第２の接続端子間に接続され換気扇負荷への電源供給をオン／オフするスイッチング素子を有する第１の負荷開閉部と、第１の負荷開閉部のオン／オフを制御するための制御信号を発生する制御部と、制御部の制御信号に応じて第１の負荷開閉部を駆動する第１の負荷駆動部と、第１及び第２の接続端子間に接続され交流電源から電源供給され制御部の動作電源を生成する電源回路部とを器体の内部に納装し、器体の前面に設けられ外部と連通する連通孔を具備したセンサ収納部の内部に周囲の絶対湿度を検出する湿度センサと周囲の温度を検出する第１の温度センサとを納装するとともに、スイッチボックス内に納装される器体の部位の内側に第２の温度センサを納装し、第２の温度センサの検出温度と所定のしきい値温度との高低から結露の前兆を検出する結露前兆検出手段を設け、制御部は、湿度センサの検出した絶対湿度の増減割合と第１の温度センサの検出した温度の増減割合および温度の検出値に基づいて第１の負荷開閉部を間欠的にオン／オフさせるとともに、結露前兆検出手段が結露の前兆を検出すると第１の負荷開閉部を連続的にオンさせ、且つ、結露前兆検出手段が結露の前兆を検出しなくなると第１の負荷開閉部を間欠的にオン／オフさせることを特徴とする換気扇スイッチ装置。
【請求項２】
制御部の出力に応じて換気扇負荷を自動的に駆動する自動モードと、制御部の出力と無関係に換気扇負荷を強制的に運転させる連続入モードと、制御部の出力と無関係に換気扇負荷を強制的に停止させる切モードとに運転モードを切り換える運転モード切換手段を設けたことを特徴とする請求項１記載の換気扇スイッチ装置。
【請求項３】
湿度センサ及び温度センサの検出結果に応じて換気扇の風量を強弱の２段階に切り換えるための切換信号を発生する強弱切換手段を設け、制御部は強弱切換手段の切換信号に応じて換気扇の風量を切り換えることを特徴とする請求項１記載の換気扇スイッチ装置。
【請求項４】
強弱切替手段の切換信号に応じて換気扇の風量を自動的に切り換える自動風量切換モードと、強弱切替手段の切換信号と無関係に換気扇の風量を手動で切り換える手動風量切換モードとに換気扇の強弱運転モードを切り換える換気扇強弱切換手段を設けたことを特徴とする請求項３記載の換気扇スイッチ装置。
【請求項５】
第２の接続端子との間に照明負荷及び上記電源の直列回路が接続される第３の接続端子を器体に設け、第２及び第３の接続端子間に接続され照明負荷への電源供給をオン／オフするスイッチング素子を有する第２の負荷開閉部と、制御部の出力に応じて第２の負荷開閉部を駆動する照明駆動部とを備え、制御部は照明負荷のオン時に換気扇の運転を停止させることを特徴とする請求項１記載の換気扇スイッチ装置。
【請求項６】
制御部は、照明負荷がオン状態からオフ状態に切り替わった時点より所定時間が経過するまでの間、換気扇を連続的に駆動すると共に、所定時間が経過した時点で、湿度センサの検出した絶対湿度の低減割合が所定のしきい値よりも小さくなるか、又は、温度センサの検出温度が所定の温度範囲を越えると、換気扇を間欠的に駆動することを特徴とする請求項５記載の換気扇スイッチ装置。
【請求項７】
湿度センサ及び温度センサの検出結果に応じて換気扇の風量を強弱の２段階に切り換えるための切換信号を発生する強弱切換手段を設け、制御部は、強弱切換手段の切換信号に応じて換気扇の風量を切り換えており、照明負荷がオン状態からオフ状態に切り替わった時点より所定時間が経過するまでの間、換気扇の風量を強として換気扇を連続的に駆動すると共に、所定時間が経過した時点で、湿度センサの検出した絶対湿度の低減割合が所定のしきい値よりも小さくなるか、又は、温度センサの検出温度が所定の温度範囲を越えると、換気扇を間欠的に駆動することを特徴とする請求項５記載の換気扇スイッチ装置。
【請求項８】
現在の時刻を検出する時刻検出手段を有し、制御部は、予め設定された時間帯において換気扇の運転を停止させるか又は換気扇の風量を弱とすることを特徴とする請求項１記載の換気扇スイッチ装置。
【発明の詳細な説明】
【０００１】
【発明の属する技術分野】
本発明は、例えば浴室に設置された浴室用換気扇の換気運転を制御する換気扇スイッチ装置に関するものである。
【０００２】
【従来の技術】
従来より、例えば浴室に設置された浴室用換気扇の換気運転を制御する換気扇スイッチ装置としては、湿度センサを用いて浴室内の湿度を検出するとともに、温度センサを用いて浴室内の温度を検出し、湿度及び温度の検出結果がそれぞれ所定の基準値以上になるか、又は所定の基準パターンに一致した時に、浴室用換気扇の換気運転を開始させるようにしたものが提供されている（例えば特開平７−２８０３０８号公報参照）。
【０００３】
【発明が解決しようとする課題】
上記構成の換気扇スイッチ装置は壁面に露設するものであるから、室内の美観が損なわれ、既製の埋込型配線器具と同様にして先行配線を行うことができないため、施工作業を容易に行うことができなかった。また、従来の換気扇スイッチ装置では、負荷である換気扇と商用電源との直列回路が接続される一対の負荷接続端子とは別に、換気扇スイッチ装置の動作電源が接続される一対の電源端子を備えているため、所謂２線式の配線器具に比べて配線数が増加し、施工の手間がかかるという問題があった。
【０００４】
また、入浴時に換気扇スイッチ装置が浴室用換気扇の換気運転を自動的に開始させると、浴室内の空気が換気されて、入浴中の人が寒く感じることがあり、特に冬場には浴室内の温度と外気温との温度差が大きくなるため、入浴中の人が一層寒さを感じることになる。
【０００５】
そこで、換気扇への電源供給をオン／オフする操作スイッチを設け、入浴前にこの操作スイッチを操作して換気扇への電源供給を停止することにより、入浴中に換気扇が自動的に換気運転を開始しないようにすることが考えられるが、入浴する人が入浴前に操作スイッチを操作しなければならず、使い勝手が悪いという問題があり、また入浴後に操作スイッチを入れ忘れて、換気扇の換気運転が行われなくなるという問題もあった。また、操作時から一定時間負荷を動作させる遅れスイッチを用いて、浴室用換気扇を動作させることも考えられるが、入浴後に遅れスイッチを操作しなければならいため使い勝手が悪く、やはり遅れスイッチの操作を忘れて、浴室の換気が行われない場合があった。さらに、浴室内における人の存否を検出する人感センサと、浴室内の湿度を検出する湿度センサとを用い、換気扇スイッチ装置が、人感センサ及び湿度センサの検出結果に基づいて、入浴後に換気扇の換気運転を開始させることも考えられるが、湿度センサとは別に人感センサが必要になるためコストアップとなるという問題がある。
【０００６】
本発明は上記問題点に鑑みて為されたものであり、その目的とするところは、施工作業が容易で効率良く換気運転を行える換気扇スイッチ装置を提供することにある。また、請求項５乃至７の発明の目的は、上記目的に加えて、浴室に設置された換気扇を入浴中の人が寒さを感じることなく自動的に運転させることのできる換気扇スイッチ装置を提供することにある。
【０００７】
【課題を解決するための手段】
上記目的を達成するために、請求項１の発明では、一面開口した略箱状であって開口を室内側に臨ませて造営面に埋設固定されるスイッチボックスに前面を室内側に臨ませた状態で埋込配設される器体を有し、換気扇負荷及び交流電源の直列回路が接続される第１及び第２の接続端子を器体に設け、第１及び第２の接続端子間に接続され換気扇負荷への電源供給をオン／オフするスイッチング素子を有する第１の負荷開閉部と、第１の負荷開閉部のオン／オフを制御するための制御信号を発生する制御部と、制御部の制御信号に応じて第１の負荷開閉部を駆動する第１の負荷駆動部と、第１及び第２の接続端子間に接続され交流電源から電源供給され制御部の動作電源を生成する電源回路部とを器体の内部に納装し、器体の前面に設けられ外部と連通する連通孔を具備したセンサ収納部の内部に周囲の絶対湿度を検出する湿度センサと周囲の温度を検出する第１の温度センサとを納装するとともに、スイッチボックス内に納装される器体の部位の内側に第２の温度センサを納装し、第２の温度センサの検出温度と所定のしきい値温度との高低から結露の前兆を検出する結露前兆検出手段を設け、制御部は、湿度センサの検出した絶対湿度の増減割合と第１の温度センサの検出した温度の増減割合および温度の検出値に基づいて第１の負荷開閉部を間欠的にオン／オフさせるとともに、結露前兆検出手段が結露の前兆を検出すると第１の負荷開閉部を連続的にオンさせ、且つ、結露前兆検出手段が結露の前兆を検出しなくなると第１の負荷開閉部を間欠的にオン／オフさせることを特徴とし、換気扇スイッチ装置の器体は既製の埋込型配線器具と同様にして造営面に埋込配設することができるので、室内の美観を損なうことがなく、しかも制御部の動作電源を生成する電源回路部を第１の負荷開閉部と並列に接続しており、電源回路部は換気扇を介して供給される商用電源から動作電源を生成しているので、従来の換気扇スイッチ装置のように負荷（換気扇）が接続される接続端子と別に電源が接続される接続端子を設ける必要がなく、従来の換気扇スイッチ装置に比べて配線数を減らし、施工の手間を少なくできる。そのうえ、制御部は、湿度センサの検出した絶対湿度、及び、温度センサの検出した温度の増減割合に基づいて換気扇の換気運転を間欠的に行わせているので、換気扇を連続運転する場合に比べて効率良く換気を行え、しかも操作スイッチを用いて換気扇を手動操作する場合に比べて操作の手間を減らして使い勝手を向上させることができ、さらに操作スイッチの操作忘れを無くすことができる。そのうえ、回路部品が結露する前に換気扇を駆動させて回路部品が結露するのを防止でき、スイッチ装置の信頼性及び耐久性を向上させることができる。
【０００８】
請求項２の発明では、請求項１の発明において、制御部の出力に応じて換気扇負荷を自動的に駆動する自動モードと、制御部の出力と無関係に換気扇負荷を強制的に運転させる連続入モードと、制御部の出力と無関係に換気扇負荷を強制的に停止させる切モードとに運転モードを切り換える運転モード切換手段を設けたことを特徴とし、運転モード切換手段を用いて自動モードと連続入モードと切モードの中から所望の運転モードを選択することができる。
【０００９】
請求項３の発明では、請求項１の発明において、湿度センサ及び温度センサの検出結果に応じて換気扇の風量を強弱の２段階に切り換えるための切換信号を発生する強弱切換手段を設け、制御部は強弱切換手段の切換信号に応じて換気扇の風量を切り換えることを特徴とし、湿度センサ及び温度センサの検出結果に基づいて換気扇の風量を強又は弱に自動的に切り換えることができ、効率よく換気を行える。
【００１０】
請求項４の発明では、請求項３の発明において、強弱切替手段の切換信号に応じて換気扇の風量を自動的に切り換える自動風量切換モードと、強弱切替手段の切換信号と無関係に換気扇の風量を手動で切り換える手動風量切換モードとに換気扇の強弱運転モードを切り換える換気扇強弱切換手段を設けたことを特徴とし、換気扇強弱切換手段を用いて自動風量切換モードと手動風量切換モードの中から所望の切換モードを選択することができる。
【００１１】
請求項５の発明では、請求項１の発明において、第２の接続端子との間に照明負荷及び上記電源の直列回路が接続される第３の接続端子を器体に設け、第２及び第３の接続端子間に接続され照明負荷への電源供給をオン／オフするスイッチング素子を有する第２の負荷開閉部と、制御部の出力に応じて第２の負荷開閉部を駆動する照明駆動部とを備え、制御部は照明負荷のオン時に換気扇の運転を停止させることを特徴とし、制御部は、照明負荷が点灯していることから人が存在していると判断して、換気扇を停止させることができ、例えば浴室に設置された換気扇と照明負荷とを制御する場合、入浴中に換気扇を停止させることにより、入浴中の人が寒さを感じるのを防止できる。
【００１２】
請求項６の発明では、請求項５の発明において、制御部は、照明負荷がオン状態からオフ状態に切り替わった時点より所定時間が経過するまでの間、換気扇を連続的に駆動すると共に、所定時間が経過した時点で、湿度センサの検出した絶対湿度の低減割合が所定のしきい値よりも小さくなるか、又は、温度センサの検出温度が所定の温度範囲を越えると、換気扇を間欠的に駆動することを特徴とし、例えば浴室に設置された換気扇と照明負荷とを制御する場合、照明負荷が消灯したことから人が浴室外に出たと判断して、入浴後に換気扇を駆動させることができ、所望のタイミングで換気扇を駆動できる。
【００１３】
請求項７の発明では、請求項５の発明において、湿度センサ及び温度センサの検出結果に応じて換気扇の風量を強弱の２段階に切り換えるための切換信号を発生する強弱切換手段を設け、制御部は、強弱切換手段の切換信号に応じて換気扇の風量を切り換えており、照明負荷がオン状態からオフ状態に切り替わった時点より所定時間が経過するまでの間、換気扇の風量を強として換気扇を連続的に駆動すると共に、所定時間が経過した時点で、湿度センサの検出した絶対湿度の低減割合が所定のしきい値よりも小さくなるか、又は、温度センサの検出温度が所定の温度範囲を越えると、換気扇を間欠的に駆動することを特徴とし、例えば浴室に設置された換気扇と照明負荷とを制御する場合、照明負荷が消灯したことから人が浴室外に出たと判断して、入浴後に換気扇を駆動させることができ、所望のタイミングで換気扇を駆動でき、且つ、照明負荷が消灯した時点から所定時間が経過するまでの間、換気扇の風量を強として換気運転を行わせているので、換気の効果を高めることができる。
【００１４】
請求項８の発明では、請求項１の発明において、現在の時刻を検出する時刻検出手段を有し、制御部は、予め設定された時間帯において換気扇の運転を停止させるか又は換気扇の風量を弱とすることを特徴とし、例えば就寝時間帯などに換気扇が動作して騒音が発生するのを防止できる。
【００１５】
【発明の実施の形態】
本発明の実施の形態を図面を参照して説明する。
【００１６】
（基本構成）
図１及び図２を参照して本発明に係る換気扇スイッチ装置の基本構成を説明する。図１はこの換気扇スイッチ装置１０のブロック図であり、浴室に設置された浴室用換気扇（換気扇負荷）Ｆと商用電源ＡＣとの直列回路が接続される接続端子（第１及び第２の接続端子）Ｔ１，Ｔ２と、接続端子Ｔ１，Ｔ２間に接続され換気扇Ｆへの電源供給をオン／オフするスイッチング素子を有する負荷開閉部（第１の負荷開閉部）１５と、周囲湿度を検出する湿度センサ部３０と、周囲温度を検出する温度センサ部４０（第１の温度センサ）と、両センサ部３０，４０の検出結果に基づいて負荷開閉部１５のオン／オフを制御するための制御信号を発生する制御部２０と、制御部２０の制御信号に応じて負荷開閉部１５を開閉駆動する駆動回路部１４と、接続端子Ｔ１，Ｔ２間に入力端子間が接続され商用電源ＡＣの電源電圧を整流する例えばダイオードブリッジよりなる整流回路部１１と、整流回路部１１の整流出力を平滑して制御部２０や両センサ部３０，４０などの動作電源を生成する電源部１２とを備えている。ここに、整流回路部１１と電源部１２とで、商用電源ＡＣから電源供給されて制御部２０などの動作電源を生成する電源回路部が構成される。
【００１７】
湿度センサ部３０は、周囲の絶対湿度に比例した電圧を発生する湿度センサ３１と、湿度センサ３１の出力信号Ｓ１をＡ／Ｄ変換するＡ／Ｄ変換回路３２とで構成される。Ａ／Ｄ変換回路３２では、湿度センサ３１から入力されたアナログ値の信号Ｓ１を、所定の入力電圧範囲を例えば２５６段階に分割した閾値電圧と比較し、信号Ｓ１がどの電圧レベル範囲に含まれるかを判断して、その電圧レベル情報をデジタル値に変換した信号Ｓ２を制御部２０に出力する。
【００１８】
また温度センサ部４０は、周囲の温度に比例した電圧を発生する温度センサ４１と、温度センサ４１の出力信号Ｓ３をＡ／Ｄ変換するＡ／Ｄ変換回路４２とで構成される。Ａ／Ｄ変換回路４２では、温度センサ４１から入力されたアナログ信号Ｓ３を所定の入力電圧範囲を例えば２５６段階に分割した閾値電圧と比較し、信号Ｓ３がどの電圧レベル範囲に含まれるかを判断して、その電圧レベル情報をデジタル値に変換した信号Ｓ４を制御部２０に出力する。
【００１９】
負荷開閉部１５は例えばトライアックのような半導体スイッチング素子から構成され、駆動回路部１４から負荷開閉部１５をオンさせる駆動信号が入力されると、負荷開閉部１５の両端間が略短絡状態となり、負荷開閉部１５を介して換気扇Ｆに駆動電流が流れ、換気扇が駆動される。尚、本装置では負荷開閉部１５を構成する半導体スイッチング素子としてトライアックを用いているが、トライアックの代わりに電界効果トランジスタやフォトＭＯＳリレーなどのスイッチング素子を用いても良く、制御部２０から負荷開閉部１５を直接駆動できる場合は、駆動回路部１４を省略して、制御部２０が駆動回路部を兼用するようにしても良い。
【００２０】
制御部２０は例えばマイクロコンピュータから構成され、予め設定された限時時間を限時するタイマー回路２０ａを具備し、両センサ部３０，４０から入力された信号Ｓ３，Ｓ４に基づいて、駆動回路部１４のオン／オフを制御するための制御信号Ｓ７を駆動回路部１４に出力する。
【００２１】
例えば、換気扇Ｆを一定時間運転させる場合、制御部２０では負荷開閉部１５をオンさせる制御信号Ｓ７を駆動回路部１４に出力するとともに、タイマー回路２０ａが一定時間の限時動作を開始する。駆動回路部１４では、制御部２０から負荷開閉部１５をオンさせる制御信号Ｓ７が入力されると、負荷開閉部１５をオンさせる駆動信号を負荷開閉部１５に出力する。この時、負荷開閉部１５の両端間が略短絡状態となり、負荷開閉部１５を介して換気扇Ｆに駆動電流が流れ、換気扇Ｆが換気運転を行う。その後、換気扇Ｆの運転開始時から一定時間が経過し、タイマー回路２０ａの限時動作が終了すると、制御部２０では、負荷開閉部１５をオフさせる制御信号Ｓ７を駆動回路部１４に出力する。駆動回路部１４は、制御部２０から負荷開閉部１５をオフさせる制御信号Ｓ７が入力されると、負荷開閉部１５をオフさせる駆動信号を負荷開閉部１５に出力する。この時、負荷開閉部１５の両端間が開放状態となり、換気扇Ｆに駆動電流が流れなくなるので、換気扇Ｆが停止する。尚、負荷開閉部１５のオフ時にも整流回路部１１を介して微少な電流が流れるが、換気扇Ｆの駆動電流に比べて十分小さい電流となっているので、換気扇Ｆが動作することはない。
【００２２】
ところで、この換気扇スイッチ装置は、図２（ａ）〜（ｃ）に示すように、埋込型配線器具を造営面に埋込配線するための取付枠（図示せず）の開口窓から前面を露出させた状態で取付枠に取り付けられる器体１の背面に一対の接続端子Ｔ１，Ｔ２を設け、器体１の内部に上述した回路部を納装している。また、湿度センサ３１及び温度センサ４１は器体１の前面上側に設けたセンサ収納部２内に収納されている。なお、センサ収納部２の前面は、中央部ほど前方への突出量が大きくなるような形状に形成されており、センサ収納部２の上下面には外部と連通するスリット状の連通孔２ａが複数穿設されている。このように、センサ収納部２の上下面には連通孔２ａが穿設されているので、連通孔２ａを介してセンサ収納部２の内部に空気を対流させることができ、センサ収納部２の内部に納装された湿度センサ３１及び温度センサ４１を、センサ収納部２内を対流する空気と接触させて、周囲の湿度及び温度を正確に検出することができる。
【００２３】
以下に制御部２０が両センサ部３０，４０の検出結果に基づいて換気扇Ｆの換気運転を制御する方法について簡単に説明する。制御部２０では、両センサ部３０，４０からそれぞれ入力される信号Ｓ２，Ｓ４を常に監視しており、先ず負荷開閉部１５をオンさせる制御信号Ｓ７を駆動回路部１４に出力して、負荷開閉部１５をオンさせ、換気扇Ｆを所定の運転時間（例えば１０分間）連続運転させる。ここで、換気運転開始時における絶対湿度をｈ１、温度をｔ１とし、一定時間運転後の絶対湿度をｈ２、温度をｔ２とすると、制御部２０は、換気扇Ｆの運転前後における湿度変化Δｈ（＝ｈ２−ｈ１）及び温度変化Δｔ（＝ｔ２−ｔ１）に基づき、湿度変化Δｈが予め設定した湿度変化範囲Δｈａ未満で、温度変化Δｔが予め設定した温度変化範囲Δｔ１以上となる場合、湿度変化Δｈが予め設定した増加側の湿度変化範囲Δｈ２を越えた場合、湿度変化Δｈが予め設定した減少側の湿度変化範囲Δｈ３を越えた場合の各場合について以下のような制御動作を行う。
【００２４】
すなわち、湿度変化Δｈが予め設定した湿度変化範囲Δｈａ未満で、温度変化Δｔが予め設定した温度変化範囲Δｔ１以上の場合、つまり換気扇Ｆを運転させても周囲の湿度があまり変化しない場合（動作条件Ａ）、制御部２０では換気扇Ｆを停止させるとともに、タイマー回路２０ａにより所定の停止時間（例えば３０分）の限時動作を開始させる。そしてタイマー回路２０ａの限時動作が終了すると、制御部２０は再び換気扇Ｆを運転時間（１０分）だけ運転させ、換気運転開始時における湿度ｈ１及び温度ｔ１と、一定時間運転後における湿度ｈ２及び温度ｔ２の変化量Δｈ，Δｔを再度検出する（以下、運転前後での湿度ｈ及び温度ｔの変化量Δｈ，Δｔを検出するために換気扇Ｆを比較的短い一定時間運転させることをモニター運転という。）。
【００２５】
また、上記運転時間が経過した時点での湿度ｈ２が運転開始時の湿度ｈ１よりも高くなり、その湿度変化Δｈが予め設定した増加側の湿度変化範囲Δｈ２を越えた場合、つまり換気扇Ｆを運転させることによって湿度が上昇した場合（動作条件Ｂ）、制御部２０は、屋外の湿度が室内（周囲）の湿度よりも高く、換気扇Ｆを運転しても高湿度の空気を取り入れるだけで、換気効果がないと判断し、換気扇Ｆを停止させるとともに、タイマー回路２ａにより所定の停止時間（３０分）の限時動作を開始させる。そしてタイマー回路２ａの限時動作が終了した時点で再び換気扇Ｆをモニター運転時の運転時間（１０分）よりも短い一定時間（例えば２分）だけ運転させ、換気運転の前後における湿度変化を繰り返し検出する。
【００２６】
一方、一定時間運転後の湿度ｈ２が運転開始時の湿度ｈ１よりも低くなり、その湿度変化Δｈが予め設定した減少側の湿度変化範囲Δｈ３を越えた場合、つまり換気扇Ｆを運転させることによって湿度が低下した場合（動作条件Ｃ）、制御部２０は、換気扇Ｆを運転したことによって湿度が低下し、換気効果があると判断し、換気扇Ｆの継続運転時間をモニター運転時の運転時間（１０分）よりも長い一定時間（例えば３０分）に設定して、タイマー回路２ａにより継続運転時間の限時動作を開始させ。そして、タイマー回路２ａの限時動作が終了するまでの間、制御部２０は換気扇Ｆを連続運転させる。すなわち、換気扇Ｆの運転時間を上記継続運転時間だけ延長する。
【００２７】
ここで、換気扇Ｆの継続運転中にも制御部２０は一定のモニター時間毎（例えば８分毎）に両センサ部３０，４０の信号Ｓ２，Ｓ４から周囲の湿度及び温度を検出し、前回検出した湿度及び温度からの変化量Δｈ，Δｔを検出して、湿度変化Δｈが上述の湿度変化範囲Δｈ３を越えていれば、その時点でタイマー回路２ａをリセットして、タイマー回路２ａにより上記継続運転時間の限時動作を再び開始させており、換気扇Ｆの運転時間が延長される（すなわち、タイマー回路２ａがリトリガブルされる。）。一方、湿度変化がΔｈ３を越えない場合、制御部２０のリトリガブルは行われず、タイマー回路２ａによる継続運転時間の限時動作が終了した時点で、制御部２０は換気扇Ｆを所定の停止時間（例えば３０分）だけ停止させる。そして、停止時間が経過した時点で再びモニター運転を行い、運転の前後における湿度変化及び温度変化を検出して、換気扇Ｆの運転時間が判断する。
【００２８】
ところで、この換気扇スイッチ装置の器体１は、既製の埋込配線型配線器具を造営面に取り付けるための取付枠（図示せず）を用いて造営面に埋設固定されたスイッチボックス（図示せず）に埋込配設される。取付枠の開口窓を挟んで対向する側片には配線器具に設けた係止爪と係止するための係止孔が形成されており、この係止孔と係止する係止爪片が器体１の両側面に設けられている。スイッチボックスは一面開口した略箱状であって、開口面を室内側に臨ませた状態で造営面に埋設固定されている。図２（ａ）〜（ｃ）は取付枠に取り付けた器体１にプレート枠１００及び化粧プレート１１０を取り付けた状態を示しており、この換気扇スイッチ装置は器体１の前面を室内側に臨ませた状態でスイッチボックスに埋込配設されるのである。
【００２９】
尚、本装置では、各センサ部３０，４０に各センサ３１，４１の出力をＡ／Ｄ変換するＡ／Ｄ変換回路３２，４２を設けているが、Ａ／Ｄ変換回路３２，４２を制御部２０に設けても良い。また、湿度センサ３１として周囲の相対湿度を検出するセンサを用い、湿度センサの検出結果と温度センサ４１の検出した温度とから制御部２０が周囲の絶対湿度を算出するようにしても良い。
【００３０】
（参考例１）
図３及び図４を参照して本発明の参考例１を説明する。尚、本参考例の構成は基本構成の換気扇スイッチ装置と同様であるので、同一の構成要素には同一の符号を付して、その説明を省略する。
【００３１】
本参考例では、基本構成の換気扇スイッチ装置において、制御部２０の出力に応じて換気扇Ｆを自動的に駆動する自動モードと、制御部２０の出力と無関係に換気扇Ｆを強制的に運転させる連続入モードと、制御部２０の出力と無関係に換気扇Ｆを強制的に停止させる切モードとに運転モードを切り換える運転モード切換手段６０を設けており、運転モード切換手段６０により所望の運転モードを選択することができる。
【００３２】
運転モード切換手段６０は、手動操作により運転モードの切換操作を行うための換気扇運転モード切換スイッチ６１と、換気扇運転モード切換スイッチ６１の切換状態から運転モードを判別する運転モード判別部６２とで構成される。図４（ａ）（ｃ）に示すように換気扇運転モード切換スイッチ６１の操作部は器体１の前面に配置されており、換気扇運転モード切換スイッチ６１を１回押し操作する毎に、運転モードが例えば連続入モード→自動モード→切モード→連続入モード…のように順番に切り換えられる。また、換気扇運転モード切換スイッチ６１の操作部に隣接して、現在の運転モードを発光表示する３個の発光ダイオードＬＤ１が配置されている。
【００３３】
ここで、換気扇運転モード切換スイッチ６１を押し操作して、運転モードを連続入モードから自動モードに切り換えると、運転モード判別部６２は現在の運転モードが自動モードであると判別し、その判別結果に基づいて制御部２０は自動モードで動作するとともに、自動モードを示す発光ダイオードＬＤ１を点灯させる。この時、制御部２０は基本構成で説明したように湿度センサ部３０及び温度センサ部４０の検出結果に基づいて換気扇Ｆの換気運転を自動的に制御する。
【００３４】
次に換気扇運転モード切換スイッチ６１を押し操作して、運転モードを自動モードから切モードに切り換えると、運転モード判別部６２は現在の運転モードが切モードであると判別し、その判別結果に基づいて制御部２０は切モードで動作するとともに、切モードを示す発光ダイオードＬＤ１を点灯させる。この時、制御部２０は両センサ部３０，４０の検出結果と無関係に負荷開閉部１５を強制的にオフさせる制御信号Ｓ７を出力し、換気扇Ｆを停止させる。
【００３５】
さらに換気扇運転モード切換スイッチ６１を押し操作して、運転モードを切モードから連続入モードに切り換えると、運転モード判別部６２は現在の運転モードが連続入モードであると判別し、その判別結果に基づいて制御部２０は連続入モードで動作するとともに、連続入モードを示す発光ダイオードＬＤ１を点灯させる。この時、制御部２０は両センサ部３０，４０の検出結果と無関係に負荷開閉部１５を強制的にオンさせる制御信号Ｓ７を出力し、換気扇Ｆを連続運転させる。
【００３６】
（参考例２）
図５に示すブロック図を参照して本発明の参考例２を説明する。尚、本参考例の構成は上述した基本構成又は参考例１の換気扇スイッチ装置と同様であるので、同一の構成要素には同一の符号を付して、その説明を省略する。
【００３７】
本参考例では、換気扇Ｆとして風量を強弱の二段階に切り換えることのできるものを使用している。すなわち、換気扇Ｆは共通端子ａ、強入力端子ｂ、弱入力端子ｃの３つの端子を有しており、共通端子ａと強入力端子ｂとの間に商用電源ＡＣが接続されると換気扇Ｆの風量は強になり、共通端子ａと弱入力端子ｃとの間に商用電源ＡＣが接続されると換気扇Ｆの風量は弱になる。
【００３８】
換気扇スイッチ装置には接続端子Ｔ１，Ｔ２とは別に接続端子Ｔ３が設けられており、換気扇Ｆの共通端子ａと接続端子Ｔ２との間に商用電源ＡＣが接続され、強入力端子ｂ及び弱入力端子ｃはそれぞれ接続端子Ｔ１，Ｔ３に接続されている。接続端子Ｔ１，Ｔ２間には強運転用の負荷開閉部１５ｂが接続されると共に、接続端子Ｔ１，Ｔ３間には弱運転用の負荷開閉部１５ａが接続されており、駆動回路部１４には制御部２０からの制御信号Ｓ７ａ，Ｓ７ｂに応じてそれぞれ負荷開閉部１５ａ，１５ｂを駆動する弱運転用駆動回路１４ａ、強運転用駆動回路１４ｂが設けられている。
【００３９】
一方、制御部２０には、換気扇Ｆの風量を強又は弱に切り換える強弱切換回路（強弱切換手段）２０ｂが設けられており、強弱切換回路２０ｂは湿度センサ部３０及び温度センサ部４０の検出結果に基づいて風量を強又は弱に切り換えるための制御信号Ｓ７ａ，Ｓ７ｂを発生する。制御部２０は上述の基本構成と同様の動作を行っており、例えば換気扇Ｆの運転前後で湿度変化Δｈが減少側の湿度変化範囲Δｈ３を越えた場合、制御部２０は換気効果があると判断して、換気扇Ｆを所定の継続運転時間だけ継続して運転しているが、この継続運転時に強弱切換回路２０ｂは換気扇Ｆの風量を強にする制御信号Ｓ７ｂを発生し、換気扇Ｆを強で運転することによって、換気効果をさらに高めている。また、換気扇Ｆの運転前後における湿度変化Δｈが予め設定した湿度変化範囲Δｈａ未満で、温度変化Δｔが予め設定した温度変化範囲Δｔ１以上となる場合（つまり換気扇Ｆを運転させても周囲の湿度があまり変化しない場合）や、湿度変化Δｈが予め設定した増加側の湿度変化範囲Δｈ２を越えた場合（つまり換気扇Ｆを運転させることによって湿度が上昇した場合）に、制御部２０が換気扇Ｆを短時間運転して周囲の湿度や温度をモニターする際には、換気扇Ｆの風量を大きくする必要がないので、節電のためにも強弱切換回路２０ｂは換気扇Ｆの風量を弱にする制御信号Ｓ７ａを発生し、換気扇Ｆを弱で運転させている。
【００４０】
（参考例３）
図６及び図７を参照して本発明の参考例３を説明する。尚、本参考例の構成は基本構成或いは参考例１、２の換気扇スイッチ装置と同様であるので、同一の構成要素には同一の符号を付して、その説明を省略する。
【００４１】
本参考例では、参考例２の換気扇スイッチ装置において、強弱切換回路２０ｂの切換信号に応じて換気扇Ｆの風量を自動的に切り換える自動風量切換モードと、強弱切換回路２０ｂの制御信号Ｓ７ａ，Ｓ７ｂと無関係に換気扇Ｆの風量を強又は弱に手動で切り換える手動風量切換モードとに、換気扇Ｆの強弱運転モードを切り換える換気扇強弱切換手段７０を設けており、換気扇強弱切換手段７０を用いて所望の強弱運転モードを選択することができる。
【００４２】
換気扇強弱切換手段７０は、手動操作により強弱運転モードの切換操作を行うための換気扇強弱切換スイッチ７１と、換気扇強弱切換スイッチ７１の切換状態から強弱運転モードを判別する強弱判別部７２とで構成され、換気扇強弱切換スイッチ７１の操作部は図７（ａ）（ｃ）に示すように器体１の前面に配置されている。また、換気扇強弱切換スイッチ７１の操作部に隣接して、換気扇強弱切換スイッチ７１の操作状態を発光表示する２個の発光ダイオードＬＤ２が配置されている。
【００４３】
ここで、換気扇強弱切換スイッチ７１を例えば１回押し操作して、強弱運転モードを弱モードに設定すると、強弱判別部７２は換気扇強弱切換スイッチ７１の設定が弱モードであると判断し、その判断結果に基づいて制御部２０は換気扇Ｆの風量を一定時間弱に設定する。例えば制御部２０が自動モードで動作している場合、弱モードに設定されてから一定時間が経過するまでの間に換気扇Ｆを動作させる際は、換気扇Ｆの風量を弱にする制御信号Ｓ７ａを弱運転用駆動回路１４ａに出力させ、換気扇Ｆの風量を弱として換気運転させる。また、弱モードに設定されてから一定時間が経過するまでの間、制御部２０は弱モードに対応する発光ダイオードＬＤ２を点灯させる。
【００４４】
一方、換気扇強弱切換スイッチ７１を例えば２回押し操作して、強弱運転モードを強モードに設定すると、強弱判別部７２は換気扇強弱切換スイッチ７１の設定が強モードであると判断し、その判断結果に基づいて制御部２０は換気扇Ｆの風量を一定時間強に設定する。ここで、制御部２０が自動モードで動作している場合、強モードに設定されてから一定時間が経過するまでの間に換気扇Ｆを動作させる際は、換気扇Ｆの風量を強にする制御信号Ｓ７ｂを強運転用駆動回路１４ｂに出力させ、換気扇Ｆの風量を強として換気運転させる。また、強モードに設定されてから一定時間が経過するまでの間、制御部２０は強モードに対応する発光ダイオードＬＤ２を点灯させる。尚、換気扇強弱切換スイッチ７１を用いて強弱運転モードを強モードに設定した場合でも、基本構成で説明したように、換気扇Ｆを短時間運転して周囲の湿度や温度をモニターする際には、換気扇Ｆの風量を大きくする必要がないので、節電のため換気扇Ｆの風量を弱にするようにしても良い。
【００４５】
（参考例４）
図８及び図９を参照して本発明の参考例４を説明する。尚、本参考例の構成は基本構成或いは参考例１〜３の換気扇スイッチ装置と同様であるので、同一の構成要素には同一の符号を付して、その説明を省略する。
【００４６】
本参考例では、参考例３の換気扇スイッチ装置において、例えば白熱灯のような照明負荷Ｌの一端が接続される接続端子Ｔ４を設け、照明負荷Ｌの他端を換気扇Ｆの共通端子ａと商用電源ＡＣとの間に接続してある。そして、接続端子Ｔ２，Ｔ４間に照明負荷Ｌへの電源供給をオン／オフする照明用負荷開閉部１５ｃを接続し、駆動回路部１４に制御部２０からの制御信号Ｓ８に応じて負荷開閉部１５ｃを駆動する照明用駆動回路１４ｃを設けている。
【００４７】
また、照明負荷Ｌを手動操作で点灯／消灯させるための照明点滅手段８０を設けており、この照明点滅手段８０は、手動操作により照明負荷Ｌの点灯又は消灯操作を行うための照明用入切スイッチ８１と、照明用入切スイッチ８１の操作状態を判別する照明点滅判別部８２とで構成され、照明用入切スイッチ８１の操作部は図９（ａ）（ｃ）に示すように器体１の前面に配置されている。また、照明用入切スイッチ８１の操作部に隣接して、照明負荷Ｌの動作状態を示す発光ダイオードＬＤ３が配置されている。
【００４８】
ここで、照明用入切スイッチ８１の押し操作によって照明負荷Ｌの動作モードが消灯モードに切り換えられた場合、照明点滅判別部８２は照明用入切スイッチ８１の設定から消灯モードに設定されているものと判断し、その判断結果に基づいて制御部２０は照明用駆動回路１４ｃに照明負荷Ｌを消灯させる制御信号を出力する。この時、照明用駆動回路１４ｃは照明用負荷開閉部１５ｃをオフさせ、照明負荷Ｌは消灯状態を保持する。また、照明負荷Ｌの消灯時は、制御部２０が上述した各種の動作モードで換気扇Ｆの換気運転を制御する。
【００４９】
一方、照明用入切スイッチ８１の押し操作によって照明負荷Ｌの動作モードが点灯モードに切り換えられた場合、照明点滅判別部８２は照明用入切スイッチ８１の設定から点灯モードに設定されているものと判断し、その判断結果に基づいて制御部２０は照明用駆動回路１４ｃに照明負荷Ｌを点灯させる制御信号を出力する。また、照明用入切スイッチ８１によって照明負荷Ｌの動作モードが消灯モードから点灯モードに切り換えられた時点から一定時間が経過すると、制御部２０は換気扇Ｆを強制的に停止させているので、例えば入浴中に換気扇Ｆが換気運転を行って、入浴中の人が寒さを感じるのを防止できる。尚、換気扇運転モード切換スイッチ６１により換気扇Ｆの運転モードが連続入モードに設定されている場合は、照明負荷Ｌが点灯中でも換気扇運転モード切換スイッチ６１の設定を優先させて換気扇Ｆの換気運転を行わせる。
【００５０】
また、照明用入切スイッチ８１によって照明負荷Ｌの動作モードが一定時間以上点灯モードに設定された後、消灯モードに切り換えられた場合、制御部２０では各種運転モードの設定に応じて換気扇Ｆの換気運転を制御する。
【００５１】
（参考例５）
本参考例の換気扇スイッチ装置は参考例４と同様の構成を有しているので、換気扇スイッチ装置の図示及び説明は省略する。
【００５２】
本参考例では制御部２０は、照明用入切スイッチ８１によって照明負荷Ｌの動作モードが一定時間以上点灯モードに設定された後、消灯モードに切り換えられた場合、入浴が終了して人が浴室から外に出たと判断し、換気扇Ｆを強制的に連続運転させるとともに、タイマー回路２ａに一定時間の限時動作を開始させる。そして、換気扇Ｆの運転開始から一定時間が経過し、タイマー回路２ａが一定時間の限時動作を終了すると、制御部２０は両センサ部３０，４０の検出結果Ｓ２，Ｓ４から絶対湿度及び温度の変化割合を検出し、それらの変化割合が基本構成で説明した動作条件Ａ又はＢに当てはまる場合、或いは温度センサ部４０の検出結果Ｓ４が予め設定した温度レベルよりも低く、飽和水蒸気量が減少して換気効果が少ないと判断した場合は、換気扇Ｆを各モード（換気扇運転モード）の設定に応じた運転に切り換える。但し、換気扇運転モード切換スイッチ６１により換気扇運転モードが連続入モードに設定されている場合は、換気扇運転モード切換スイッチ６１の設定を優先させ、換気扇Ｆを連続運転し、換気扇運転モード切換スイッチ６１により換気扇運転モードが切モードに設定されている場合は、換気扇運転モード切換スイッチ６１の設定を優先させ、換気扇Ｆを停止させる。
【００５３】
このように、制御部２０では照明負荷Ｌの動作モードから入浴が終了したことを検知して、換気扇Ｆの換気運転を行わせているので、適切なタイミングで換気扇Ｆの換気運転を行わせることができる。
【００５４】
（参考例６）
本参考例の換気扇スイッチ装置は参考例４と同様の構成を有しているので、換気扇スイッチ装置の図示及び説明は省略する。
【００５５】
本参考例では制御部２０は、照明用入切スイッチ８１によって照明負荷Ｌの動作モードが一定時間以上点灯モードに設定された後、消灯モードに切り換えられた場合、入浴が終了して人が浴室から外に出たと判断し、換気扇Ｆの風量を強として、換気扇Ｆを強制的に連続運転させるとともに、タイマー回路２０ａに一定時間の限時動作を開始させている。そして、換気扇Ｆの運転開始から一定時間が経過しタイマー回路２０ａの限時動作が終了した時点において、制御部２０は両センサ部３０，４０の検出結果Ｓ２，Ｓ４から絶対湿度及び温度の変化割合を検出し、それらの変化割合が基本構成で説明した動作条件Ａ又はＢに当てはまる場合、或いは温度センサ部４０の検出結果Ｓ４が予め設定した温度レベルよりも低く、飽和水蒸気量が減少して換気効果が少ないと判断した場合は、換気扇Ｆを各モード（換気扇運転モード、及び、強弱運転モード）の設定に応じた運転に切り換える。但し、換気扇運転モード切換スイッチ６１により換気扇運転モードが連続入モードに設定されている場合は、換気扇運転モード切換スイッチ６１の設定を優先させ、換気扇Ｆを連続運転し、換気扇運転モード切換スイッチ６１により換気扇運転モードが切モードに設定されている場合は、換気扇運転モード切換スイッチ６１の設定を優先させ、換気扇Ｆを停止させる。また、換気扇強弱切換スイッチ７１により強弱運転モードが弱モードに設定されている場合、制御部２０は、照明負荷Ｌが消灯した時点から一定時間、換気扇Ｆの風量を弱として換気扇Ｆを連続運転させる。
【００５６】
このように、制御部２０では照明負荷Ｌの動作モードから入浴が終了したことを検知して、換気扇Ｆの換気運転を行わせているので、適切なタイミングで換気扇Ｆの換気運転を行わせることができ、しかも入浴終了時に換気扇Ｆの風量を強として換気運転を行わせているので、換気の効果を高めることができる。
【００５７】
（参考例７）
図１０を参照して本発明の参考例７を説明する。尚、本参考例の構成は基本構成或いは参考例１〜６の換気扇スイッチ装置と同様であるので、同一の構成要素には同一の符号を付して、その説明を省略する。
【００５８】
本参考例では、参考例４の換気扇スイッチ装置において、現在の時刻を検出する時刻検出手段５０を設けている。時刻検出手段５０は、現在の時刻を示す時刻信号Ｓ９を制御部２０に出力する時計回路５１から構成される。
【００５９】
制御部２０では、時刻検出手段５０から入力された時刻信号Ｓ９に基づいて、予め設定された時間帯（例えば就寝時間帯など）には換気扇Ｆを強制的に停止させている。尚、換気扇Ｆとして風量を強又は弱の二段階に切り換えられるものを用い、制御部２０に換気扇Ｆの強弱運転モードを強又は弱に切り換える強弱切換回路２０ｂが設けられている場合、換気扇Ｆが弱モードで駆動された際の駆動音が十分小さければ、制御部２０が上記時間帯に換気扇Ｆを運転させる際に換気扇Ｆを弱モードで運転させるようにしても良く、就寝時間帯などに換気扇Ｆの動作音によって騒音が発生するのを防止できる。
【００６０】
（実施形態１）
図１１及び図１２を参照して本発明の実施形態１を説明する。尚、基本的な構成は上述した基本構成或いは参考例１〜７の換気扇スイッチ装置と同様であるので、同一の構成要素には同一の符号を付して、その説明を省略する。
【００６１】
本実施形態では、参考例７の換気扇スイッチ装置において、造営面に埋設固定されたスイッチボックス（図示せず）に収められる器体１の部位の内側に、スイッチボックスに納装された部位の温度を検出する温度センサ部９０（第２の温度センサ）を納装しており、温度センサ部９０の出力から結露の前兆の有無を判断する結露有無判断部（結露前兆検出手段）２０ｃを制御部２０に設けている。
【００６２】
温度センサ部９０は、周囲の温度に比例した電圧を発生する温度センサ９１と、温度センサ９１の出力信号Ｓ５をＡ／Ｄ変換するＡ／Ｄ変換回路９２とで構成される。Ａ／Ｄ変換回路９２では、温度センサ９１から入力されたアナログ信号Ｓ５を所定の入力電圧範囲を例えば２５６段階に分割した閾値電圧と比較し、信号Ｓ５がどの電圧レベル範囲に含まれるかを判断して、その電圧レベル情報をデジタル値に変換した信号Ｓ６を制御部２０に出力する。
【００６３】
結露有無判断部２０ｃでは、温度センサ部９０の出力信号Ｓ６からスイッチボックス内に収納された部位の温度を検出しており、その検出結果が結露の前兆を示すしきい値温度を超えると、結露の前兆と判断して、結露前兆信号を発生する。制御部２０では、結露有無判断部２０ｃの結露前兆信号に基づいて、換気扇Ｆを連続運転させ、結露を防止する。その後、温度センサ部９０の検出した温度がしきい値温度を下回ると、結露有無判断部２０ｃは結露前兆信号の出力を停止し、制御部２０は換気扇Ｆの換気運転を各運転モードに応じた運転に切り換える。
【００６４】
ところで、湿度センサ３１として、一般の家庭用電気機器に用いられる高分子抵抗変化型の湿度センサを用いる場合、この種の湿度センサは結露するような環境での使用を禁止しているが、本実施形態では制御部２０は、結露有無判断部２０ｃが結露の前兆を検出すると換気扇Ｆを連続的に運転させ、結露有無判断部２０ｃが結露の前兆を検出しなくなると、動作モードが自動モードに設定されている場合は両センサ部３０，４０の検出結果に応じて換気扇Ｆの換気運転を制御しているので、湿度センサ３１などの回路部品が結露する前に換気扇Ｆを駆動させて回路部品の結露を防止でき、回路の信頼性や耐久性が向上する。
【００６５】
尚、上述の実施形態では、負荷開閉部１５を整流回路部１１の入力側に接続しているが、整流回路部１１の出力側に接続するようにしても良く、その場合はサイリスタやＦＥＴなどのスイッチング素子を用いて負荷開閉部１５を構成することができる。また、湿度センサ部３０や温度センサ部４０の代わりに、ワイヤレスリモコンスイッチの受信部を設け、リモコン信号に応じて換気扇Ｆを制御するようにしても良い。
【００６６】
【発明の効果】
上述のように、請求項１の発明は、一面開口した略箱状であって開口を室内側に臨ませて造営面に埋設固定されるスイッチボックスに前面を室内側に臨ませた状態で埋込配設される器体を有し、換気扇負荷及び交流電源の直列回路が接続される第１及び第２の接続端子を器体に設け、第１及び第２の接続端子間に接続され換気扇負荷への電源供給をオン／オフするスイッチング素子を有する第１の負荷開閉部と、第１の負荷開閉部のオン／オフを制御するための制御信号を発生する制御部と、制御部の制御信号に応じて第１の負荷開閉部を駆動する第１の負荷駆動部と、第１及び第２の接続端子間に接続され交流電源から電源供給され制御部の動作電源を生成する電源回路部とを器体の内部に納装し、器体の前面に設けられ外部と連通する連通孔を具備したセンサ収納部の内部に周囲の絶対湿度を検出する湿度センサと周囲の温度を検出する第１の温度センサとを納装するとともに、スイッチボックス内に納装される器体の部位の内側に第２の温度センサを納装し、第２の温度センサの検出温度と所定のしきい値温度との高低から結露の前兆を検出する結露前兆検出手段を設け、制御部は、湿度センサの検出した絶対湿度の増減割合と第１の温度センサの検出した温度の増減割合および温度の検出値に基づいて第１の負荷開閉部を間欠的にオン／オフさせるとともに、結露前兆検出手段が結露の前兆を検出すると第１の負荷開閉部を連続的にオンさせ、且つ、結露前兆検出手段が結露の前兆を検出しなくなると第１の負荷開閉部を間欠的にオン／オフさせることを特徴とする。このような構成を採用したことにより、換気扇スイッチ装置の器体は既製の埋込型配線器具と同様にして造営面に埋込配設することができるので、室内の美観を損なうことがなく、しかも制御部の動作電源を生成する電源回路部を第１の負荷開閉部と並列に接続しており、電源回路部は換気扇を介して供給される商用電源から動作電源を生成しているので、従来の換気扇スイッチ装置のように負荷（換気扇）が接続される接続端子と別に電源が接続される接続端子を設ける必要がなく、従来の換気扇スイッチ装置に比べて配線数を減らし、施工の手間を少なくできるという効果がある。そのうえ、制御部は、湿度センサの検出した絶対湿度、及び、温度センサの検出した温度の増減割合に基づいて換気扇の換気運転を間欠的に行わせているので、換気扇を連続運転する場合に比べて効率良く換気を行え、しかも操作スイッチを用いて換気扇を手動操作する場合に比べて操作の手間を減らして使い勝手を向上させることができ、さらに操作スイッチの操作忘れを無くすことができるという効果もある。そのうえ、回路部品が結露する前に換気扇を駆動させて回路部品が結露するのを防止でき、スイッチ装置の信頼性及び耐久性が向上するという効果がある。
【００６７】
請求項２の発明は、請求項１の発明において、制御部の出力に応じて換気扇負荷を自動的に駆動する自動モードと、制御部の出力と無関係に換気扇負荷を強制的に運転させる連続入モードと、制御部の出力と無関係に換気扇負荷を強制的に停止させる切モードとに運転モードを切り換える運転モード切換手段を設けたことを特徴とし、運転モード切換手段を用いて自動モードと連続入モードと切モードの中から所望の運転モードを選択できるという効果がある。
【００６８】
請求項３の発明は、請求項１の発明において、湿度センサ及び温度センサの検出結果に応じて換気扇の風量を強弱の２段階に切り換えるための切換信号を発生する強弱切換手段を設け、制御部は強弱切換手段の切換信号に応じて換気扇の風量を切り換えることを特徴とし、湿度センサ及び温度センサの検出結果に基づいて換気扇の風量を強又は弱に自動的に切り換えることができ、効率よく換気を行えるという効果がある。
【００６９】
請求項４の発明は、請求項３の発明において、強弱切替手段の切換信号に応じて換気扇の風量を自動的に切り換える自動風量切換モードと、強弱切替手段の切換信号と無関係に換気扇の風量を手動で切り換える手動風量切換モードとに換気扇の強弱運転モードを切り換える換気扇強弱切換手段を設けたことを特徴とし、換気扇強弱切換手段を用いて自動風量切換モードと手動風量切換モードの中から所望の切換モードを選択できるという効果がある。
【００７０】
請求項５の発明は、請求項１の発明において、第２の接続端子との間に照明負荷及び上記電源の直列回路が接続される第３の接続端子を器体に設け、第２及び第３の接続端子間に接続され照明負荷への電源供給をオン／オフするスイッチング素子を有する第２の負荷開閉部と、制御部の出力に応じて第２の負荷開閉部を駆動する照明駆動部とを備え、制御部は照明負荷のオン時に換気扇の運転を停止させることを特徴とし、制御部は、照明負荷が点灯していることから人が存在していると判断して、換気扇を停止させることができ、例えば浴室に設置された換気扇と照明負荷とを制御する場合、入浴中に換気扇を停止させることにより、入浴中の人が寒さを感じるのを防止できるという効果がある。
【００７１】
請求項６の発明は、請求項５の発明において、制御部は、照明負荷がオン状態からオフ状態に切り替わった時点より所定時間が経過するまでの間、換気扇を連続的に駆動すると共に、所定時間が経過した時点で、湿度センサの検出した絶対湿度の低減割合が所定のしきい値よりも小さくなるか、又は、温度センサの検出温度が所定の温度範囲を越えると、換気扇を間欠的に駆動することを特徴とし、例えば浴室に設置された換気扇と照明負荷とを制御する場合、照明負荷が消灯したことから人が浴室外に出たと判断して、入浴後に換気扇を駆動させることができ、所望のタイミングで換気扇を駆動できるという効果がある。
【００７２】
請求項７の発明は、請求項５の発明において、湿度センサ及び温度センサの検出結果に応じて換気扇の風量を強弱の２段階に切り換えるための切換信号を発生する強弱切換手段を設け、制御部は、強弱切換手段の切換信号に応じて換気扇の風量を切り換えており、照明負荷がオン状態からオフ状態に切り替わった時点より所定時間が経過するまでの間、換気扇の風量を強として換気扇を連続的に駆動すると共に、所定時間が経過した時点で、湿度センサの検出した絶対湿度の低減割合が所定のしきい値よりも小さくなるか、又は、温度センサの検出温度が所定の温度範囲を越えると、換気扇を間欠的に駆動することを特徴とし、例えば浴室に設置された換気扇と照明負荷とを制御する場合、照明負荷が消灯したことから人が浴室外に出たと判断して、入浴後に換気扇を駆動させることができ、所望のタイミングで換気扇を駆動でき、且つ、照明負荷が消灯した時点から所定時間が経過するまでの間、換気扇の風量を強として換気運転を行わせているので、換気の効果を高めることができるという効果がある。
【００７３】
請求項８の発明は、請求項１の発明において、現在の時刻を検出する時刻検出手段を有し、制御部は、予め設定された時間帯において換気扇の運転を停止させるか又は換気扇の風量を弱とすることを特徴とし、例えば就寝時間帯などに換気扇が動作して騒音が発生するのを防止できるという効果がある。
【図面の簡単な説明】
【図１】  基本構成の換気扇スイッチ装置のブロック図である。
【図２】（ａ）は同上の正面図、（ｂ）は同上の下面図、（ｃ）は一部省略せる正面図である。
【図３】  参考例１の換気扇スイッチ装置のブロック図である。
【図４】（ａ）は同上の正面図、（ｂ）は同上の下面図、（ｃ）は同上の一部省略せる正面図である。
【図５】  参考例２の換気扇スイッチ装置のブロック図である。
【図６】  参考例３の換気扇スイッチ装置のブロック図である。
【図７】（ａ）は同上の正面図、（ｂ）は同上の下面図、（ｃ）は同上の一部省略せる正面図である。
【図８】  参考例４の換気扇スイッチ装置のブロック図である。
【図９】（ａ）は同上の正面図、（ｂ）は同上の下面図、（ｃ）は同上の一部省略せる正面図である。
【図１０】  参考例７の換気扇スイッチ装置のブロック図である。
【図１１】  実施形態１の換気扇スイッチ装置のブロック図である。
【図１２】（ａ）は同上の正面図、（ｂ）は同上の一部破断せる下面図、（ｃ）は同上の一部破断せる側面図である。
【符号の説明】
１０  換気扇スイッチ装置
１４  駆動回路部
１５  負荷開閉部
２０  制御部
３０  湿度センサ部
４０  温度センサ部
ＡＣ  商用電源
Ｆ    換気扇
Ｔ１，Ｔ２  接続端子
【図１】
0003722408.tif 000002
【図２】
0003722408.tif 000003
【図３】
0003722408.tif 000004
【図４】
0003722408.tif 000005
【図５】
0003722408.tif 000006
【図６】
0003722408.tif 000007
【図７】
0003722408.tif 000008
【図８】
0003722408.tif 000009
【図９】
0003722408.tif 000010
【図１０】
0003722408.tif 000011
【図１１】
0003722408.tif 000012
【図１２】
0003722408.tif 000013